(57)【要約】【課題】給水手段が何ら邪魔にならず、全体としてすっきりした自動炊飯器を提供することを目的とするものである。【解決手段】自動炊飯器本体１に、米を炊飯する炊飯部２と、この炊飯部２に米を供給する給米部３とを設けるとともに、自動炊飯器本体１の前面には開閉自在にトビラ４を設け、このトビラ４の内側に、前記炊飯部２へ供給する水を貯留したタンク５を着脱自在に設けたことにより、タンク５はトビラ４の内側に配置され、しかもトビラ４とともに扱えるため、タンク５が何ら邪魔にならず、全体としてすっきりしたものとなる。【選択図】　図１
2004065551.tif 000002
【特許請求の範囲】
【請求項１】
自動炊飯器本体に、米を炊飯する炊飯部と、この炊飯部に米を供給する給米部とを設けるとともに、自動炊飯器本体の前面には開閉自在にトビラを設け、このトビラの内側に、前記炊飯部へ供給する水を貯留したタンクを着脱自在に設けた自動炊飯器。
【請求項２】
タンクから炊飯部への給水中にトビラを開けると給水を止めるトビラ開閉検知手段を有する請求項１に記載の自動炊飯器。
【請求項３】
トビラ開閉検知手段は、トビラの回動中心と反対側位置に設けた請求項２に記載の自動炊飯器。
【請求項４】
タンクから炊飯部への給水中にはトビラの閉状態をロックするロック手段を有する請求項１に記載の自動炊飯器。
【請求項５】
タンクと炊飯部との給水経路の接続部をトビラの回動中心と反対側位置に設けた請求項１〜４のいずれか１項に記載の自動炊飯器。
【請求項６】
タンクと炊飯部との給水経路の接続部をトビラの回動中心近くに設けた請求項１〜４のいずれか１項に記載の自動炊飯器。
【請求項７】
タンクと炊飯部との給水経路の接続部形状をトビラ回動の中心からの半径軌跡円の形状とした請求項１〜６のいずれか１項に記載の自動炊飯器。
【請求項８】
トビラのタンクとの対応部を透視部として、トビラ外よりタンクの水量を確認可能とした請求項１〜７のいずれか１項に記載の自動炊飯器。
【請求項９】
自動炊飯器本体の前面に開閉自在に設けたトビラは、一枚のトビラから構成した請求項１に記載の自動炊飯器。
【請求項１０】
自動炊飯器本体の前面に開閉自在に設けたトビラは、独立して開閉可能な複数枚のトビラから構成した請求項１に記載の自動炊飯器。
【請求項１１】
タンクより炊飯部への水の供給は、タンク内に設けたインペラーと、タンク外でトビラ側に設けたモータとの磁気結合式のポンプにより行う請求項１に記載の自動炊飯器。
【請求項１２】
タンクより炊飯部への水の供給は、タンク内に設けたインペラーと、タンク外で自動炊飯器本体側に設けたモータとの磁気結合式のポンプにより行う請求項１に記載の自動炊飯器。
【発明の詳細な説明】
【０００１】
【発明の属する技術分野】
本発明は、予め米と炊飯用の水を用意するだけで、炊飯部へ米と水を自動供給して炊飯を自動的に行う自動炊飯器に関するものである。
【０００２】
【従来の技術】
従来、この種の自動炊飯器は種々のものが提案されている。そして、炊飯水の供給方法としては、配管より給水弁を介して炊飯部へ供給するものがある。また、炊飯水を別設のタンク貯留して、このタンクから炊飯部へ供給するようなものも提案されている。
【０００３】
【発明が解決しようとする課題】
しかしながら、前記従来の配管方式のものでは、配管工事が必要となるとともに、自動炊飯器本体がその位置に固定されてしまうため、実際の使用において、使い勝手がよいとは言えないものである。また、タンク方式は、手軽でしかも自動炊飯器本体が配管による束縛がないため移動可能で使い勝手はよくなるが、タンクの配置構成いかんによっては、タンクが邪魔になり、炊飯後の飯をよそう時などの障害になりかねないという課題がある。
【０００４】
本発明は、前記従来の課題を解決するもので、炊飯部への給水をタンク方式とするものの、タンクが何ら邪魔にならず、全体としてすっきりした自動炊飯器を提供することを目的とするものである。
【０００５】
【課題を解決するための手段】
前記目的を達成するために、本発明の自動炊飯器は、米を炊飯する炊飯部と、炊飯部に米を供給する給米部とを設けた自動炊飯器本体の前面に、開閉自在にトビラを設け、このトビラの内側に、炊飯部へ供給する水を貯留したタンクを着脱自在に設けたものである。
【０００６】
これにより、タンクはトビラの内側に配置され、しかもトビラとともに扱えるため、タンクが何ら邪魔にならず、全体としてすっきりした自動炊飯器となるものである。
【０００７】
【発明の実施の形態】
請求項１に記載の発明は、自動炊飯器本体に、米を炊飯する炊飯部と、この炊飯部に米を供給する給米部とを設けるとともに、自動炊飯器本体の前面には開閉自在にトビラを設け、このトビラの内側に、前記炊飯部へ供給する水を貯留したタンクを着脱自在に設けた自動炊飯器とすることにより、タンクはトビラの内側に配置され、しかもトビラとともに扱えるため、タンクが何ら邪魔にならず、全体としてすっきりしたものとなる。
【０００８】
請求項２に記載の発明は、タンクから炊飯部への給水中にトビラを開けると給水を止めるトビラ開閉検知手段を有する請求項１に記載の自動炊飯器とすることにより、給水中に誤ってトビラを開けても給水が中止できるので、水のあふれ出を防止できる。
【０００９】
請求項３に記載の発明は、トビラ開閉検知手段は、トビラの回動中心と反対側位置に設けた請求項２に記載の自動炊飯器とすることにより、トビラが少し開いても（角度）、トビラ開成と判断できるので、給水中の水あふれを早いタイミングで防止できる。
【００１０】
請求項４に記載の発明は、タンクから炊飯部への給水中にはトビラの閉状態をロックするロック手段を有する請求項１に記載の自動炊飯器とすることにより、例えば、給水中はプランジャーでトビラをロックすると、給水中に誤ってトビラを開けようとしても、トビラは開かないので、水のあふれ出を防止できる。
【００１１】
請求項５に記載の発明は、タンクと炊飯部との給水経路の接続部をトビラの回動中心と反対側位置に設けた請求項１〜４のいずれか１項に記載の自動炊飯器とすることにより、給水経路の接続部が回動中心から遠いので、接続部が直線に近い、大きな曲線上で接続でき、信頼性の高い接続を得ることができる。
【００１２】
請求項６に記載の発明は、タンクと炊飯部との給水経路の接続部をトビラの回動中心近くに設けた請求項１〜４のいずれか１項に記載の自動炊飯器とすることにより、誤ってトビラを少し開けても、またトビラの開検知が作動した時点でも、給水経路の接続部はストロークが小さくまだ接続が残っており、水があふれ出ない。
【００１３】
請求項７に記載の発明は、タンクと炊飯部との給水経路の接続部形状をトビラ回動の中心からの半径軌跡円の形状とした請求項１〜６のいずれか１項に記載の自動炊飯器とすることにより、信頼性の高い給水経路の接続部とすることができる。
【００１４】
請求項８に記載の発明は、トビラのタンクとの対応部を透視部として、トビラ外よりタンクの水量を確認可能とした請求項１〜７のいずれか１項に記載の自動炊飯器とすることにより、トビラ外からでも炊飯量に足りる水が貯留されているかどうかが容易にわかる。
【００１５】
請求項９に記載の発明は、自動炊飯器本体の前面に開閉自在に設けたトビラは、一枚のトビラから構成した請求項１に記載の自動炊飯器とすることにより、全体として見た目にシンプルな自動炊飯器とすることができる。
【００１６】
請求項１０に記載の発明は、自動炊飯器本体の前面に開閉自在に設けたトビラは、独立して開閉可能な複数枚のトビラから構成した請求項１に記載の自動炊飯器とすることにより、必要な箇所のトビラのみを開閉することで事足り、極めて合理的なものとなるとともに、冷蔵庫感覚でトビラ開閉を行うことができる。
【００１７】
請求項１１に記載の発明は、タンクより炊飯部への水の供給は、タンク内に設けたインペラーと、タンク外でトビラ側に設けたモータとの磁気結合式のポンプにより行う請求項１に記載の自動炊飯器とすることにより、インペラーとモータの位置のバラツキが小さく、インペラーの回転が安定するので、水供給が安定する。これにより、炊飯水の水量検知が正確に行なわれる。
【００１８】
請求項１２に記載の発明は、タンクより炊飯部への水の供給は、タンク内に設けたインペラーと、タンク外で自動炊飯器本体側に設けたモータとの磁気結合式のポンプにより行う請求項１に記載の自動炊飯器とすることにより、給水中にトビラを開けると、インペラーとモータが分離され、水供給がストップされるため、水のあふれ出を防止できる。
【００１９】
【実施例】
以下、本発明の実施例について、図面を参照しながら説明する。
【００２０】
（実施例１）
図１、図２は本発明の実施例における自動炊飯器を示すものである。
【００２１】
図に示すように、自動炊飯器本体１の上部に、米を炊飯する炊飯部２を、その下部に炊飯部２に米を供給する給米部３をそれぞれ設けるとともに、自動炊飯器本体１の前面にはドア式の開閉自在なトビラ４を設け、このトビラ４の内側に、前記炊飯部２へ供給する水を貯留したタンク５を鉛直方向へ着脱自在に設けている。トビラ４は、この実施例では、一枚のトビラからなり、全体として見た目にシンプルなものとしている。そして、閉状態時には自動炊飯器本体１に対して、磁石、ロック装置等の適宜な手段でその位置が保持されているものである。
【００２２】
前記した炊飯部２は、自動炊飯器本体１に対して着脱自在な鍋６と、この鍋６の開口部を開閉自在に覆う鍋蓋７と、鍋６を加熱する加熱手段８とを有している。また、鍋蓋７は、自動炊飯器本体１に軸９を中心に上方向に回動可能な蓋体１０とともに回動するものである。
【００２３】
また、給米部３は、米を投入・保存する米びつ部１１、米びつ部１１の下方に配置され計量マスによって米を計量する計量部１２、計量された米を摩擦力でとぐ米とぎ部１３、米とぎ部１３でといだ米を、給米経路１４を通して炊飯部２に給米する、送風ファンからなる搬送手段１５を有している。
【００２４】
給米部３を構成する米とぎ部１３は、駆動手段１６により駆動される米とぎ羽根１７を有し、水を使用せずに米とぎ羽根１７の回転力とその外周のパンチング体１８との摩擦力で米をとぐように構成されている。そして、米とぎ部１３でとがれた米は、給米経路１４への米の供給を実行・停止する開閉手段１９と、開閉手段１９の駆動手段である開閉駆動手段２０により給米制御される。
【００２５】
また、炊飯部２へ供給する水を貯留したタンク５は、図２によく示されているように、トビラ４の内側に設けた支持部２１にて支持され、支持部２１に対して鉛直方向に着脱自在としている。タンク５の扱いはとって２２をもって行われるものである。タンク５は、トビラ４の開閉により一緒に移動するものであり、炊飯部２へのタンク給水経路２３は、その先端部が、炊飯部給水経路２４に対し、接続部２５で着脱するようになっている。
【００２６】
また、タンク５内には、磁石内蔵のインペラー２６を設けており、磁石を軸に固定したタンク外のモータ２７とにより磁気結合式のポンプを構成している。このポンプにより、タンク５内の水を給水経路２３、炊飯部給水経路２４を通して炊飯部２へ給水が行なわれる。タンク５内への給水時等には、タンク５は接続部２５および磁気結合式のポンプ部分で分離され、自由にタンク取り出しができるものである。
【００２７】
上記した炊飯部２、給米部３（計量部１２、米とぎ部１３、搬送手段１５）、磁気結合式のポンプの駆動は、制御部２８により制御されるもので、米の計量から炊飯までを自動的に行うものである。
【００２８】
なお、タンク５から炊飯部２への給水中に、トビラ４が誤って開けられた際には、これをトビラ開閉検知手段２９が検知して給水を中止させ、水のあふれ出を防止するようになっている。また、蓋体１０の頂面には、運転開始ボタンはじめ各種ボタンを有する入力操作部があり（図示せず）、そこで自由に所望の炊飯入力が行われるものである。
【００２９】
上記した構成において動作を説明すると、使用者が米びつ部１１に米を投入し、炊飯したい米の量を入力した後、運転開始ボタンを押すと運転が開始する。
【００３０】
運転が開始すると、制御部２８は計量部１２を動作させて、米びつ部１１に貯蔵された米から、使用者が入力した所定量だけ米を計量する米計量行程を行う。そして、計量した米を米とぎ部１３へ供給する。所定量の米が米とぎ部１３に供給されると、制御部２８は駆動手段１６を動作させて米とぎ羽根１７を回転駆動させ、水を使用せずに米とぎ羽根１７の回転力とパンチング体１８との摩擦力によって米から糠を除去する米とぎ行程を行う。
【００３１】
米とぎ行程終了後、制御部２８は開閉駆動手段２０を駆動させ、米とぎ行程中は閉じてあった開閉手段１９を開放する。糠が除去された米は、米とぎ部１３から給米経路１４へ供給される。米が給米経路１４に供給し終わると、制御部２８は開閉駆動手段２０を動作させて開閉手段１９を閉じる。その後、制御部２８は搬送手段１６を動作させ、米を送風によって給米経路１４を経て炊飯部２内の鍋６へと供給する搬送行程を行う。
【００３２】
また、制御部２８はタンク５の磁気結合式のポンプを駆動して、タンク５から炊飯に必要な量の水を炊飯部２へ供給する給水行程を行う。炊飯部２へ所定量の米と水が供給されると、米に水を吸収させる浸漬行程が行われる。そして、所定時間の浸漬行程が行われ、米が所定量の水を吸収した後、加熱手段８により炊飯行程が行われる。所定時間の炊飯が行われた後、炊飯されたご飯を保温する保温行程が行われる。使用者は蓋体１０を回動して開けば、炊飯部２の鍋６が自動炊飯器本体１に頂面に露出するため、タンク５に邪魔されることなく、いつでもご飯を炊飯部２から取り出すことができる。
【００３３】
なお、蓋体１０の回動による開放時には、炊飯部給水経路２４は、説明を省略しているが、自動炊飯器本体１側の他の接続部から分離され、閉成時には図のように給水経路が形成されるようになっている。
【００３４】
こうして、炊飯したい米の量を入力して運転開始ボタンを押すだけで、米びつ部１１に貯蔵された米から、米の計量、米とぎ、給水、炊飯、保温が自動で行われる。
【００３５】
ここで、本実施例においては、タンク５はトビラ４の内側に配置され、しかもトビラ４とともに扱えるため、タンク５が何ら邪魔にならず、全体としてすっきりしたものとなる。タンク５の容量は、炊飯部２の容量と炊飯頻度によって、適宜設定されるものである。
【００３６】
なお、本実施例においては、炊飯部２、給米部３について具体的に構成を説明したが、この実施例の構成に限定されるものでなく、同機能を持つ他の構成を採用することも可能であることは言うまでもない。
【００３７】
（実施例２）
図３は本発明の実施例２における自動炊飯器の部分構成を示したものである。基本は実施例１と同じであるので同一部分には同一符号を付して説明を省略し、相違点についてのみ説明する。
【００３８】
この実施例は、トビラ開閉検知手段２９が、トビラ４の回動中心４ａと離れた反対側位置に設けたものである。
【００３９】
これにより、トビラ４が少し開いても（角度）、トビラ開成と判断できるので、タンク５から炊飯部２へ給水中であっても、これを直ちに中止し、給水中の水あふれを早いタイミングで防止している。
【００４０】
（実施例３）
図４、図５は本発明の実施例３における自動炊飯器の部分構成を示したものである。基本は実施例１、２と同じであるので同一部分には同一符号を付して説明を省略し、相違点についてのみ説明する。
【００４１】
この実施例は、タンク５から炊飯部２への給水中にはトビラ４の閉状態をロックするロック手段３０を有しているものである。ロック手段３０としては、例えば、プランジャーを用い、給水中は図４のようにトビラ４の係止部４ｂをロックすると、給水中に誤ってトビラ４を開けようとしても、トビラ４は開かないので、水のあふれ出を防止できる。
【００４２】
トビラ４を開放する際は、図５のようにロック手段３０を駆動して係止部４ｂのロックを外せば、トビラ４は自由に開放できるものである。
【００４３】
（実施例４）
図６は本発明の実施例４における自動炊飯器の部分構成を示したものである。基本は実施例１〜３と同じであるので同一部分には同一符号を付して説明を省略し、相違点についてのみ説明する。
【００４４】
この実施例は、タンク５と炊飯部２との給水経路２３、２４の接続部２５をトビラ４の回動中心４ａと離れた反対側位置に設けたものである。
【００４５】
この実施例では、図に示すように、給水経路の接続部２５が回動中心４ａから遠いので、接続部２５が直線に近い、大きな曲線上で接続でき、トビラ４の頻繁な開閉においても信頼性の高い接続を得ることができる。
【００４６】
（実施例５）
図７は本発明の実施例５における自動炊飯器の部分構成を示したものである。基本は実施例１〜４と同じであるので同一部分には同一符号を付して説明を省略し、相違点についてのみ説明する。
【００４７】
この実施例は、タンク５と炊飯部２との給水経路２３、２４の接続部２５をトビラ４の回動中心４ａ近くに設けたものである。つまり、実施例４とは接続部２５の位置を逆にした構成とした。
【００４８】
この実施例では、誤ってトビラ４を少し開けても、またトビラ開閉検知手段２９が動作しトビラの開検知が作動した時点でも、まだ給水経路２３のストロークが小さく、その先端部は接続部２５と接続された状態（接続が残っている状態）であり、水があふれ出ないものである。
【００４９】
（実施例６）
図８は本発明の実施例６における自動炊飯器の部分構成を示したものである。基本は実施例１〜５と同じであるので同一部分には同一符号を付して説明を省略し、相違点についてのみ説明する。
【００５０】
この実施例は、タンク５と炊飯部２との給水経路２３、２４の接続部２５の形状をトビラ４回動の中心からの半径軌跡円の形状としたものである。
【００５１】
この実施例では、トビラ４の頻繁な開閉においても、その形状から給水経路２３は確実に接続部２５と接続、分離されるものであり、信頼性の高い接続を得ることができる。
【００５２】
（実施例７）
図９、図１０は本発明の実施例７における自動炊飯器の部分構成を示したものである。基本は実施例１〜６と同じであるので同一部分には同一符号を付して説明を省略し、相違点についてのみ説明する。
【００５３】
この実施例は、タンク５の側面に水量を示す水位線５ａを設け、少なくともトビラ４のタンク５との対応部を透視部４ｃとして、トビラ外より水位線５ａでタンク５の水量を確認可能としたものである。トビラ４の透視部４ｃとしては、該当部分を透明部材としたり、あるいはトビラ４に確認窓（孔）を設けたりすることにより構成されているものである。
【００５４】
この実施例では、トビラ外からでも炊飯量に足りる水が貯留されているかどうかが容易にわかり、極めて実用的なものである。
【００５５】
（実施例８）
図１１、図１２は本発明の実施例８における自動炊飯器の部分構成を示したものである。基本は実施例１〜７と同じであるので同一部分には同一符号を付して説明を省略し、相違点についてのみ説明する。
【００５６】
この実施例は、自動炊飯器本体１の前面に開閉自在に設けたトビラ４は、独立して開閉可能な複数枚のトビラから構成したものである。図では２枚のトビラとしたが、それ以上のものであってもよい。
【００５７】
この実施例であれば、必要な箇所のトビラ４のみを開閉することで事足り、極めて合理的なものとなるとともに、冷蔵庫感覚でトビラ開閉を行うことができる。同時に、全体としてすっきりしたものとなる。
【００５８】
（実施例９）
図１３は本発明の実施例９における自動炊飯器の部分構成を示したものである。基本は実施例１〜８と同じであるので同一部分には同一符号を付して説明を省略し、相違点についてのみ説明する。
【００５９】
この実施例は、タンク５より炊飯部２への水の供給は、タンク５内に設けたインペラー２６と、タンク外でトビラ側に設けたモータ２７との磁気結合式のポンプにより行うようにしたものである。つまり、モータ２７の駆動によりインペラー２６を回転させ、タンク５内の水をタンク給水経路２３から炊飯部２へ供給するものである。
【００６０】
この実施例では、インペラー２６とモータ２７がいずれもトビラ側であるため、その位置のバラツキが小さく、磁気結合で分離されていても、インペラー２６の回転がスムーズで水供給が安定する。これにより、炊飯水の水量検知が正確に行なわれる。
【００６１】
（実施例１０）
図１４は本発明の実施例１０における自動炊飯器の部分構成を示したものである。基本は実施例１〜９と同じであるので同一部分には同一符号を付して説明を省略し、相違点についてのみ説明する。
【００６２】
この実施例は、タンク５より炊飯部２への水の供給は、タンク内に設けたインペラー２６と、タンク外で自動炊飯器本体１側に設けたモータ２７との磁気結合式のポンプにより行うようにしたものである。その他は実施例９と同じである。
【００６３】
この実施例では、タンク５より炊飯部２への給水中にトビラ４を開けると、タンク５内のインペラー２６はトビラ４とともに移動し、自動炊飯器本体１側のモータ２７とは、磁気結合部で分離される。このため、トビラ４を開放時には水供給が自動的にストップされ、水のあふれ出を防止できる。
【００６４】
【発明の効果】
以上のように、本発明の自動炊飯器は、米を炊飯する炊飯部と、炊飯部に米を供給する給米部とを設けた自動炊飯器本体の前面に、開閉自在にトビラを設け、このトビラの内側に、炊飯部へ供給する水を貯留したタンクを着脱自在に設けたもので、これにより、タンクはトビラの内側に配置され、しかもトビラとともに扱えるため、タンクが何ら邪魔にならず、全体としてすっきりした自動炊飯器となるものである。
【図面の簡単な説明】
【図１】本発明の実施例１における自動炊飯器の切り欠いて示した断面図
【図２】同自動炊飯器の要部拡大断面図
【図３】本発明の実施例２における自動炊飯器の要部を一部欠いて示す部分平面図
【図４】本発明の実施例３における自動炊飯器の要部を一部欠いて示す部分平面図
【図５】同自動炊飯器の動作状態の部分平面図
【図６】本発明の実施例４における自動炊飯器の要部を一部欠いて示す部分平面図
【図７】本発明の実施例５における自動炊飯器の要部を一部欠いて示す部分平面図
【図８】本発明の実施例６における自動炊飯器の要部を一部欠いて示す部分平面図
【図９】本発明の実施例７における自動炊飯器のタンクを示す正面図
【図１０】同タンクのトビラへの収納状態を示す正面図
【図１１】本発明の実施例８における自動炊飯器の要部の断面図
【図１２】同自動炊飯器の要部の外観斜視図
【図１３】本発明の実施例９における自動炊飯器の要部の拡大断面図
【図１４】本発明の実施例１０における自動炊飯器の要部の拡大断面図
【符号の説明】
１　自動炊飯器本体
２　炊飯部
３　給米部
４　トビラ
４ａ　回動中心
４ｃ　透視部
５　タンク
２３　タンク給水経路
２４　炊飯部給水経路
２５　接続部
２６　インペラー
２７　モータ
２８　制御部
２９　トビラ開閉検知手段
３０　ロック手段
【図１】
2004065551.tif 000003
【図２】
2004065551.tif 000004
【図３】
2004065551.tif 000005
【図４】
2004065551.tif 000006
【図５】
2004065551.tif 000007
【図６】
2004065551.tif 000008
【図７】
2004065551.tif 000009
【図８】
2004065551.tif 000010
【図９】
2004065551.tif 000011
【図１０】
2004065551.tif 000012
【図１１】
2004065551.tif 000013
【図１２】
2004065551.tif 000014
【図１３】
2004065551.tif 000015
【図１４】
2004065551.tif 000016